(57)【要約】【課題】コンテンツ配信サービスとポイントサービスとの効率的な連携をはかり、コンテンツ制作に対するユーザの参加意識を高める。【解決手段】投資管理装置（投資管理サーバ）を、コンテンツ配信サーバにより配信される投資案件紹介コンテンツを再生したユーザ端末により操作入力されるポイントに基づく投資情報を収集する投資情報収集部と、所定数の投資により制作され、コンテンツ配信サーバによって配信される制作コンテンツのユーザ端末による再生回数を監視し、再生回数に比例しない配当としてのポイントを計算し、ポイント管理サーバとの通信によりポイントＤＢを更新する配当ポイント計算管理部と、で構成した。【選択図】図１１
2010108311.tif 000002
【特許請求の範囲】
【請求項１】
コンテンツを再生可能な複数のユーザ端末と、前記コンテンツを配信するコンテンツ配信装置と、所定に付与されるポイントをポイントデータベースにより管理するポイント管理装置と、通信ネットワーク経由で接続される投資管理装置であって、
前記コンテンツ配信装置により配信される投資案件紹介コンテンツを再生したユーザ端末により操作入力される前記ポイントに基づく投資情報を収集する投資情報収集部と、
所定数の投資により制作され、前記コンテンツ配信装置によって配信される制作コンテンツの前記ユーザ端末による再生回数を監視し、所定の計算式により前記再生回数を加味しつつ前記再生回数に比例しない配当としての前記ポイントを計算し、前記ポイント管理装置との通信により前記ポイントデータベースを更新する配当ポイント計算管理部と、
を備えたことを特徴とする投資管理装置。
【請求項２】
前記通信ネットワークを介して更に商品購入装置と接続され、
所定数の投資により制作され、前記コンテンツ配信装置によって配信される制作コンテンツに対し、前記商品購入装置から前記制作コンテンツの内容によって決まる商品情報を取得し、前記コンテンツ配信装置を制御して前記商品情報とリンクするメタ情報を貼付して配信する制作コンテンツ配信管理部と、
を備えたことを特徴とする請求項１記載の投資管理装置。
【請求項３】
前記投資情報収集部は、
前記ユーザ端末の操作入力による所定数の投資を検出した場合に、前記ポイントによる公募終了を、前記コンテンツ配信装置を介して通知することを特徴とする請求項１記載の投資管理装置。
【請求項４】
前記配当ポイント計算管理部は、
前記再生回数に応じて予め規定されたランク毎に固定の配当としての前記ポイントを計算して前記ポイントデータベースを更新することを特徴とする請求項１記載の投資管理装置。
【請求項５】
前記配当ポイント計算管理部は、
前記操作入力される前記ポイントによる投資の前に実行される会員登録により、他のユーザの投資に影響を与える特定のユーザのユーザ端末からの投資については、通常のユーザに比べて高い配当としての前記ポイントを計算して前記ポイントデータベースを更新することを特徴とする請求項１記載の投資管理装置。
【請求項６】
相互に通信網で接続された、
コンテンツを再生可能なユーザ端末と、
前記コンテンツを配信するコンテンツ配信装置と、
所定に付与されるポイントをポイントデータベースにより管理するポイント管理装置と、
前記コンテンツ配信装置により配信される投資案件紹介コンテンツを再生したユーザ端末によって入力される前記ポイントに基づく投資情報を収集し、所定数の投資により制作され、前記コンテンツ配信装置によって配信される制作コンテンツの前記ユーザ端末による再生回数を監視し、所定の計算式により前記再生回数を加味しつつ前記再生回数に比例しない配当としての前記ポイントを計算し前記ポイント管理装置との通信により前記ポイントデータベースを更新する投資管理装置と、
を備えたことを特徴とする投資管理システム。
【請求項７】
コンテンツを再生可能なユーザ端末と、前記コンテンツを配信するコンテンツ配信装置と、所定に付与されるポイントをポイントデータベースによって管理するポイント管理装置と、前記コンテンツの制作に対する投資および配当を管理する投資管理装置と、が、それぞれ通信網経由で接続されるユーザ参加型コンテンツ制作システムにおける投資管理方法であって、
前記コンテンツ配信装置が、前記複数のユーザ端末に対して前記投資管理装置により登録された投資案件紹介コンテンツを配信するステップと、
前記投資管理装置が、前記投資案件紹介コンテンツを再生したユーザ端末により操作入力される前記ポイントに基づく投資情報を収集するステップと、
前記コンテンツ配信装置が、所定数のポイントに基づき制作された前記投資案件の制作コンテンツを前記複数のユーザ端末に配信するステップと、
前記投資管理装置が、前記制作コンテンツを再生した前記ユーザ端末による前記制作コンテンツの再生回数を監視し、所定の計算式により前記再生回数を加味しつつ前記再生回数に比例しない配当としての前記ポイントを計算して前記ポイント管理装置との通信により前記ポイントデータベースを更新するステップと、
を有することを特徴とするユーザ参加型コンテンツ制作システムにおける投資管理方法。
【請求項８】
コンテンツを再生可能な複数のユーザ端末と、前記コンテンツを配信するコンテンツ配信装置と、所定に付与されるポイントをポイントデータベースにより管理するポイント管理装置と、通信網経由で接続される投資管理装置に用いられるプログラムであって、
前記コンテンツ配信装置により配信される投資案件紹介コンテンツを再生したユーザ端末により操作入力される前記ポイントに基づく投資情報を収集する投資情報収集処理と、
所定数の投資により制作され、前記コンテンツ配信装置によって配信される制作コンテンツの前記ユーザ端末による再生回数を監視し、所定の計算式により前記再生回数を加味しつつ前記再生回数に比例しない配当としての前記ポイントを計算して前記ポイント管理装置との通信により前記ポイントデータベースを更新する配当ポイント計算管理処理と、
を前記投資管理装置に実行させるプログラム。
【発明の詳細な説明】
【技術分野】
【０００１】
本発明は、投資管理装置およびシステム、ならびにユーザ参加型コンテンツ制作システムにおける投資管理方法、プログラムに関するものである。
【背景技術】
【０００２】
近年、テレビを取り巻く環境は変化し、テレビ受像機を単に地上波視聴用としてではなく、情報通信機器を用いて、ＤＶＤ（Digital Versatile Disc）再生用モニタとして、ゲーム再生モニタとして、あるいは、インターネット放送受信用のモニタとして利用する機会が増えている。これら情報通信機器はいずれもインターネット接続環境を有している。
【０００３】
このように情報通信機器を使いこなすユーザの出現により、テレビユーザ、所謂、視聴者の消費動向は、広告宣伝に対する消費者心理のプロセスモデルとされる、Ａ（Attention：注意）、Ｉ（Interest：興味）、Ｄ（Desire：欲望）、Ｍ（Memory：記憶）、Ａ（Action：購買行動）から、Ａ（Attention：注意）、Ｉ（Interest：興味）、Ｓ（Search：検索）Ａ（Action：購買行動）、Ｓ（Share：共有）に変化しつつある。
このうち、Ｓ（Search：検索）は、テレビにはない機能であり、検索の機能を用い消費購入時にインターネットを利用して情報収集する人は、平成１８年度の情報通信白書によれば６２％に及ぶとされ、また、Ｓ（Share：共有）として、ＳＮＳ（Social Networking Service）を利用して情報を共有することも可能になった。このため、これらユーザをターゲットに、テレビ広告以外の広告に出資する企業が増えつつある。
【０００４】
ところで、テレビ業界において、視聴者から一定の支持をうけている番組や映画であっても何らかの事情により制作費を集めることが出来ず、このため、番組に十分な資金投下が出来ないことから、結果として十分な評価を受けることができないまま番組が終了してしまう事例が多々生じている。
このような場合、例えば、番組を支持する視聴者から番組制作のための資金を募り、番組制作者に資金を提供できれば、番組製作者は、その資金を投入してよりよい番組を作ることができる。また、視聴者にとっても番組制作に参加している意識を持つことができるといった相乗的効果が得られる。
【０００５】
しかしながら、現状、国内では金融取引法により現金での投資には制限があり、例えば、私募の場合出資者４９人以内、公募の場合出資者５０人以上となっており、公募の場合、目論見書作成等、多額のランニングコストを要し、コンテンツビジネスでは割りが合わない。このため、現金ではなく、ウェブ（Ｗｅｂ：World Wide Web）系電子マネー、あるいはＥＣ（Electronic Commerce）ポイント（以下、単にポイントという）で対応することが考えられる。
【０００６】
このため、従来、コンテンツ購入等のために保有するポイントをテレビ番組の制作等に投資することを可能にするポイント投資管理サーバ（例えば、特許文献１参照）、あるいは、リスクを小口に分割し、映画ファンから企画コンテンツに出資してもらうスタイルで新しい映画等の映像コンテンツ制作システムを作るためのウェップを用いた出資公募方法（例えば、特許文献２参照）が特許出願されている。
【特許文献１】特開２００６−３０９３５９号公報（段落「００１２」、図１）
【特許文献２】特開２００２−１１７２６１号公報（段落「０００５」、図１）
【発明の開示】
【発明が解決しようとする課題】
【０００７】
前記した特許文献１、２に開示された技術によれば、インターネット上に企画動画コンテンツを公開して不特定多数にその制作のための出資を募り、所定の募集期間内に制作費の予定額となる募集口数まで出資が集まった場合にファンド成立として出資額の払い込みを受けてコンテンツの制作を行い、後日、出資者に募集口数に応じて制作されたコンテンツの配給収入を配分することができる。
しかしながら、前記した特許文献１、２に開示された技術は、制作コンテンツにユーザの購入履歴や嗜好等ユーザ属性に応じた広告等が含まれないため、ユーザが広告を視聴する機会が減り、結果として広告収入が増えないため出資者に還元されるポイントも期待する以上に増えず、コンテンツ制作に対する参加意識が薄れる。また、特許文献１、２に開示された技術は、ファンド成立の有無、あるいは投資イベントの消費に関する記述がほとんどであり、ファンド成立後の配給収入の分配の仕方については詳細な記載がない。
【０００８】
本発明は前記した課題を解決するためになされたものであり、コンテンツ配信サービスとポイントサービスとの効率的な連携をはかり、コンテンツ制作に対するユーザの参加意識を高めることができる、投資管理装置およびシステム、ならびにユーザ参加型コンテンツ制作システムにおける投資管理方法、プログラムを提供することを目的とする。
【課題を解決するための手段】
【０００９】
前記した課題を解決するために本発明の投資管理装置は、コンテンツを再生可能な複数のユーザ端末と、前記コンテンツを配信するコンテンツ配信装置と、所定に付与されるポイントをポイントデータベースにより管理するポイント管理装置と、前記商品のメタ情報を管理するメタ情報管理装置と、通信網経由で接続される投資管理装置であって、前記コンテンツ配信装置により配信される投資案件紹介コンテンツを再生したユーザ端末により操作入力されるポイントに基づく投資情報を収集する投資情報収集部と、所定数の投資により制作され、前記コンテンツ配信装置によって配信される制作コンテンツの前記ユーザ端末による再生回数を監視し、所定の計算式により前記再生回数を加味しつつ前記再生回数に比例しない配当としてのポイントを計算して前記ポイントデータベースを更新する配当ポイント計算管理部と、を備えたものである。
【００１０】
また、本発明の投資管理システムは、相互に通信網で接続された、コンテンツを再生可能なユーザ端末と、前記コンテンツを配信するコンテンツ配信装置と、所定に付与されるポイントをポイントデータベースにより管理するポイント管理装置と、前記コンテンツ配信装置により配信される投資案件紹介コンテンツを再生したユーザ端末によって入力される前記ポイントに基づく投資情報を収集し、所定数のポイントに基づき制作された前記投資案件の制作コンテンツに、前記制作コンテンツの内容によって決まる商品情報を付加して前記コンテンツ配信装置を介して配信させ、前記ユーザ端末による前記商品情報の再生回数を監視し、前記再生回数に比例しない配当としてのポイントを計算して前記ポイント管理装置との通信により前記ポイントデータベースを更新する投資管理装置と、を備えたものである。
【００１１】
また、本発明のユーザ参加型コンテンツ制作システムにおける投資管理方法は、コンテンツを再生可能なユーザ端末と、前記コンテンツを配信するコンテンツ配信装置と、所定に付与されるポイントをポイントデータベースによって管理するポイント管理装置と、前記商品のメタ情報を管理するメタ情報管理装置と、前記コンテンツの制作に対する投資および配当を管理する投資管理装置と、が、それぞれ通信網経由で接続されるユーザ参加型コンテンツ制作システムにおける投資管理方法であって、前記コンテンツ配信装置が、前記複数のユーザ端末に対して前記投資管理装置により登録された投資案件紹介コンテンツを配信するステップと、前記投資管理装置が、前記投資案件紹介コンテンツを再生したユーザ端末により操作入力されるポイントに基づく投資情報を収集するステップと、前記コンテンツ配信装置が、所定数の投資により制作され、前記コンテンツ配信装置によって配信される制作コンテンツの前記ユーザ端末による再生回数を監視し、所定の計算式により前記再生回数を加味しつつ前記再生回数に比例しない配当としてのポイントを計算して前記ポイント管理装置との通信により前記ポイントデータベースを更新するステップと、を有するものである。
【００１２】
また、本発明のプログラムは、コンテンツを再生可能な複数のユーザ端末と、前記コンテンツを配信するコンテンツ配信装置と、所定に付与されるポイントをポイントデータベースにより管理するポイント管理装置と、前記商品のメタ情報を管理するメタ情報管理装置と、通信網経由で接続される投資管理装置に用いられるプログラムであって、前記コンテンツ配信装置により配信される投資案件紹介コンテンツを再生したユーザ端末により操作入力されるポイントに基づく投資情報を収集する投資情報収集処理と、所定数の投資により制作され前記コンテンツ配信装置によって配信される制作コンテンツの前記ユーザ端末による再生回数を監視し、所定の計算式により前記再生回数を加味しつつ前記再生回数に比例しない配当としてのポイントを計算して前記ポイント管理装置との通信により前記ポイントデータベースを更新する配当ポイント計算管理処理と、を前記投資管理装置に実行させるものである。
【発明の効果】
【００１３】
本発明によれば、コンテンツ配信サービスとポイントサービスとの連携をはかり、コンテンツ制作に対するユーザの参加意識を高めることができる、投資管理装置およびシステム、ならびにユーザ参加型コンテンツ制作システムにおける投資管理方法、プログラムを提供することができる。
【発明を実施するための最良の形態】
【００１４】
［ユーザ参加型コンテンツ制作システムにおける投資管理方法の説明］
図１は、本発明の実施の形態に係るユーザ参加型コンテンツ制作システムにおける投資管理方法について、ビジネス主体とその主体間の関係を説明するために示した図である。
図１において、サービス事業者Ｃは、サイトを立ち上げ、ユーザＡと、広告主、コンテンツ配給会社・権利保持者、クリエイター、メーカー、ショップ等のアフェリイトＢに対し、動画配信サービスＣ１、ポイトンサービスＣ２、動画投資サービスＣ３、ＥＣサービスＣ４、ＥＣに対する成功報酬を管理するＡＳＰ（Affiliate Service Provider）サービスＣ５による複合サービスを行う。
【００１５】
具体的に、ユーザＡは、サービス提供事業者Ｃが立ち上げたサイトに対して会員登録を行い（ａ）、サービス提供事業者Ｃにより配信される無料動画を視聴し、あるいはメルマガの購読を行う（ｂ）。
ここで、無料配信される動画の中にはコンテンツ制作のための投資を募る投資案件紹介コンテンツが含まれ、これを視聴した結果このコンテンツ制作を応援したい、あるいは投資して価値のあるコンテンツであると考えたユーザはポイントによる投資を行う（ｃ）。なお、投資案件紹介コンテンツとは、例えば、旅行番組を題材とした旅行代理店ツアー企画連動コンテンツやＥＣ誘導コンテンツ等をいう。
【００１６】
サービス提供事業者Ｃは、ユーザＡが求めているコンテンツや企画を動画投資サービスＣ３の行動ログなどから把握し、動画配信サービスＣ１によりサイト上で公開する。
ユーザＡとしては、コンテンツの企画を動画投資サービスＣ３に対して投稿し、ユーザＡは当該企画に対して投票を行うことができる。投票の結果、上位に挙がった企画から、サービス提供事業者Ｃはコンテンツ化可能なものを選出し、これを動画投資サービスＣ３上で公開する。
そして、そのコンテンツや企画に対しての出資をユーザＡやメーカーＢに提案して制作費の捻出を行う。なお、出資者は、所定のポイント収集により制作されたコンテンツの評価によってポイントによるインセンティブを得ることができる（ｄ）。また、ユーザＡは、販売代金の支払いにより（ｅ）、商品購入も可能であり（ｆ）、このときポイントが付与される。なお、ポイントによる商品の購入も可能である。
【００１７】
一方、アフェリエイトＢの一つである広告主は、サービス提供事業者Ｃから広告枠を購入し（ｇ）、サービス提供事業者Ｃに、広告費ならびに成功報酬を支払う（ｈ）。また、サービス提供事業者Ｃは、外部のコンテンツ配給会社（コンテンツの権利保持者）あるいはクリエイターＢに対して使用料を支払い（ｉ、ｋ）、コンテンツの提供をうけることもできる（ｊ、ｌ）。
また、サービス提供事業者Ｃは、メーカーＢに対して仕入れ代金を支払い、あるいは製品の開発提案を行うことにより（ｍ）、商品を仕入れ、あるいは開発提案した商品を受託する（ｎ）。また、サービス提供事業者Ｃは、ショップＢにユーザを誘導し（ｏ）、ショップＢから出店料、成功報酬を得ることも可能である（ｐ）。
【００１８】
［投資管理システムの説明］
図２は、本発明の実施の形態に係る投資管理システムのシステム構成の一例を示す図である。
図２に示されるように、本発明の実施の形態に係る投資管理システムは、複数のユーザ端末１と、投資管理装置（以下、投資管理サーバ３という）が、ＩＰ（Internet Protocol）ネットワーク２等の通信網経由で接続され、構成される。
【００１９】
なお、ＩＰネットワーク２には、他に、商品ＤＢ２１１、購入履歴ＤＢ２１２を有する商品購入装置（以下、商品購入サーバ２１という）と、コンテンツＤＢ２２０を有するコンテンツ配信装置（以下、コンテンツ配信サーバ２２という）と、ポイントＤＢ２３０を有するポイント管理装置（以下、ポイント管理サーバ２３という）と、広告ＤＢ２４０を有するメタ情報管理装置（以下、メタ情報管理サーバ２４という）とが、接続されている。前記した各ＤＢ（Data Base）のデータ構造等詳細については後記する。
【００２０】
図２において、ユーザ端末１は、コンテンツを再生可能なソフトウエアを実装し、ＩＰネットワーク２との接続環境を有するＰＣ（Personal Computer）相当の性能を有する端末である。ユーザ端末１は、後記するように、コンテンツ配信サーバ２２により配信される制作コンテンツ（第１の画面領域）と、商品情報（第２の画面領域）をそれぞれ別ウインドウに表示する表示装置（ここではＬＣＤパネル）を備えている。
ユーザは、ユーザ端末１を操作することにより、（１）会員登録を行い、（２）配信されるコンテンツの視聴を行い、（３）コンテンツをカテゴリで視聴選択し、（４）コンテンツに関連した商品をＥＣで購入し、（５）コンテンツに対する投資あるいはコンテンツの再生回数に応じたポイントの取得が可能である。いずれも詳細は後記する。
【００２１】
商品購入サーバ２１は、商品ＤＢ２１１に格納された商品のＥＣによる購入販売の手続きを処理し、そのときの購入履歴は購入履歴ＤＢ２１２に格納される。
コンテンツ配信サーバ２２は、コンテンツＤＢ２２０に登録された、投資案件紹介コンテンツ、あるいは制作コンテンツを配信し、ポイント管理サーバ２３は、所定に付与されるポイントをポイントＤＢ２３０により管理する。また、メタ情報管理サーバ２４は、商品情報にリンクする広告ＤＢ２４０に格納されたメタ情報を管理し、投資管理サーバ３とともにコンテンツ配信サーバ２２によるコンテンツ配信を制御する。いずれも詳細は後記する。
【００２２】
投資管理サーバ３は、ユーザＤＢ３０９と投資案件ＤＢ３１０とを有し、コンテンツ配信サーバ２２により配信される投資案件紹介コンテンツを再生したユーザ端末１によって入力されるポイントに基づく投資情報を収集し、所定数の投資により制作される制作コンテンツの内容によって決まる商品情報を取得し、メタ情報を埋め込んで配信し、配信された制作コンテンツの再生回数を監視して配当ポイントを計算して更新する機能を有する。
なお、投資管理サーバ３には管理者端末４が接続されており、管理者により、（１）ユーザ管理、（２）配信されるコンテンツの管理、（３）視聴選択のためのカテゴリ管理、（４）コンテンツ閲覧状況の確認、（５）出資の公募設定、（６）公募状況の閲覧、（７）制作コンテンツに対するメタ情報の設定、（８）広告効果の確認、が行われる。
【００２３】
図３は、本発明の実施の形態に係る投資管理システムの基本動作を示すシーケンス図である。ここでは、ユーザ端末１、コンテンツ配信サーバ２２、投資管理サーバ３、ポイント管理サーバ２３、メタ情報管理サーバ２４、商品購入サーバ２１、間における情報の流れが示されている。
以下、図３のシーケンス図を参照しながら、図２に示す本発明の実施の形態に係る投資管理システムの基本動作について説明する。
【００２４】
まず、ユーザは、ユーザ端末１を操作して会員登録を行う（ステップＳ３０１）。ここで登録された情報は、投資管理サーバ３のユーザＤＢ３０９に格納される。
なお、会員登録は、コンテンツを視聴するうえで必須ではなく、投資を行ううえで必須となるものである。
【００２５】
次に、投資管理サーバ３によるコンテンツ配信サーバ２２への投資案件紹介コンテンツの投入を契機に、コンテンツ配信サーバ２２は、不特定多数のユーザ端末１に対し、投入された投資案件紹介コンテンツを配信する（ステップＳ３０２）。なお、投資案件紹介コンテンツの中には、該当コンテンツを制作するにあたり出資を募るための案内が含まれている。
そして、投資案件紹介コンテンツを視聴したユーザは、応援したいコンテンツである、あるいは投資して価値のあるコンテンツであると判断した場合、ユーザ端末１を操作することにより、自身が所有するＥＣポイトンによる投資を行う（ステップＳ３０３）。
【００２６】
所定期間の公募の後、投資管理サーバ３は、適当なタイミングでコンテンツ配信サーバ２２と通信を行い、投資情報を収集する（ステップＳ３０４）。
続いて、投資管理サーバ３は、ポイント管理サーバ２３と通信を行い、先に投資されたポイントに基づき該当するユーザが所有するポイントを更新し（ステップＳ３０５）、また、出資された所定数のポイントが集まった場合に、コンテンツ配信サーバ２２経由で不特定多数のユーザ端末１に、公募終了の通知を行う（ステップＳ３０６）。
【００２７】
一方、サービス提供事業者Ｃは、投資により集まった資金（ポイント）により、自身で、あるいは外部に委託することによりコンテンツ制作を開始し、完成した制作コンテンツは、投資管理サーバ３によりコンテンツ配信サーバ２２に投入され、コンテンツ配信サーバ２２は、これを会員登録済みのユーザ端末１に配信する（ステップＳ３０９）。
投資管理サーバ３は、制作コンテンツを投入する直前に、商品購入サーバ２１およびメタ情報管理サーバ２４と通信を行い、商品購入サーバ２１から制作コンテンツの内容に応じて決まる商品情報を取得し（ステップＳ３０７）、メタ情報管理サーバ２４の広告ＤＢ２４０に格納されたメタ情報を制作コンテンツの一部に埋め込んでおく（ステップＳ３０８）。
【００２８】
なお、ここで、商品情報に関連付けられたメタ情報は、会員登録されたユーザの属性、あるいはユーザの商品購入履歴に基づき予め選択される。すなわち、ユーザＤＢ３０９に登録されたユーザの嗜好、あるいは購入履歴ＤＢ２１２に格納されたユーザの購入履歴、購入時回遊情報、あるいはコンテンツの閲覧履歴等によって決まり、このため、メタ情報としての広告配信は、従来のコンテンツ配信サービスではなかったユーザ情報を利用して決まるため、閲覧するユーザに利便性を提供することができ、使い勝手が向上するものである。
【００２９】
ユーザは、コンテンツ配信サーバ２２により配信された制作コンテンツを視聴し、商品情報を閲覧すると（ステップＳ３１０）、コンテンツ配信サーバ２２は、その閲覧情報（再生回数）を記憶する。そして、月末等の所定期間を経て投資管理サーバ３は、コンテンツ配信サーバ２２と通信を行い、コンテンツ配信サーバ２２から閲覧情報を取得して集計し（ステップＳ３１１）、制作コンテンツの総再生回数に応じた配当ポイントを計算し、ポイント管理サーバ２３と通信を行い、ポイントＤＢ２３０を更新する（ステップＳ３１２）。
【００３０】
投資管理サーバ３は、配当ポイントを計算するにあたり、再生回数に応じて予め規定されたランク毎に固定の配当ポイントを計算する。例えば、再生回数４００以上はランクＡとして５００ポイント、再生回数２００以上４００未満はランクＢとして４５０ポイント、再生回数１００以上２００未満はランクＣとして４００ポイント、１００未満はランクＤとして１００ポイントの配当を行う。また、投資管理サーバ３は、投資の前に実行される会員登録により、他のユーザの投資に影響を与える特定のユーザのユーザ端末１からの投資については、通常のユーザに比べて高い配当ポイントを還元してもよい。
【００３１】
なお、ユーザが商品購入サーバ２１と通信を行い、ＥＣにより商品を購入すれば（ステップＳ３１３）、購入によるポイントが更に付与され（ステップＳ３１４）、投資管理サーバ３は、更にポイント管理サーバ２３のポイントＤＢ２３０を参照して（ステップＳ３１５）、商品購入ユーザに更なるポイント還元を行う（ステップＳ３１６）。
【００３２】
前記した本発明の実施の形態に係る投資管理システムは、例えば、図２のシステム構成図に示されるように、コンテンツを再生可能なユーザ端末１と、コンテンツを配信するコンテンツ配信装置（コンテンツ配信サーバ２２）と、所定に付与されるポイントをポイントデータベースにより管理するポイント管理装置（ポイント管理サーバ２３）と、ユーザ端末１、コンテンツ配信サーバ２２、ポイント管理サーバ２３のそれぞれとは通信網（ＩＰネットワーク２）経由で接続される投資管理装置（投資管理サーバ３）とで、構築され、投資管理サーバ３は、例えば、図３のシーケンス図に示されるように、コンテンツ配信サーバ２２により配信される投資案件紹介コンテンツを再生したユーザ端末１によって入力されるポイントに基づく投資情報を収集し（ステップＳ３０４）、所定数の投資により制作され、コンテンツ配信サーバ２２によって配信される制作コンテンツのユーザ端末１による再生回数を監視し、所定の計算式により再生回数を加味しつつ再生回数に比例しない配当としてのポイントを計算しポイント管理サーバ２３との通信によりポイントＤＢ２３０を更新する（ステップＳ３１２）ものである。
このため、投資と配当が１対１に偏ることなく、また、ユーザは、自身の属性に沿った内容で広告を閲覧できるため広告を閲覧する機会が増え、コンテンツ配信サービスとポイントサービスとの効率的な連携がはかれることから高い還元率によるポイント還元でコンテンツ制作に対する参加意識を高めることができる。
【００３３】
［データベースの説明］
ここで、図４〜図６を参照して、投資管理サーバ３が管理するユーザＤＢ３０９、投資案件ＤＢ３１０（それぞれ、図４（ａ）（ｂ））、商品購入サーバ２１が管理する商品ＤＢ２１１、コンテンツ配信サーバ２２が管理するコンテンツＤＢ２２０（それぞれ図５（ａ）（ｂ））、ポイント管理サーバ２３が管理するポイントＤＢ２３０、メタ情報管理サーバ２４が管理する広告ＤＢ２４０（それぞれ、図６（ａ）（ｂ））、の各データ構造の一例について説明する。
【００３４】
図４（ａ）において、ユーザＤＢ３０９は、「ユーザＩＤ」と、「ユーザ名」と、「住所」と、「電子メールアドレス」の各データフィールドで構成され、ユーザ端末１による会員登録の都度、投資管理サーバ３によりユニークなユーザＩＤが発行され、登録される。なお、前記したデータ以外に、ユーザの趣味、嗜好等に関するデータが付加されてもよい。
図４（ｂ）において、投資案件ＤＢ３１０は、「コンテンツＩＤ」と、「ユーザＩＤ」と、「ポイント数」と、「参加日」の各データフィールドとにより構成される。ここで、「コンテンツＩＤ」とは、制作コンテンツ毎に投資管理サーバ３により付与されるユニークなコンテンツＩＤであり、「ポイント数」には、投資により取得される合計ポイント数が、「参加日」には、公募初日の日付が設定される。
【００３５】
図５（ａ）において、商品ＤＢ２１１は、「商品ＩＤ」と、「商品名」と、「交換ポイント」の各データフィールドで構成され、ここで、「商品ＩＤ」とは、ＥＣ対象商品毎に付されるユニークなＩＤであり、「交換ポイント」とは、商品購入の際に交換が必要とされるポイントをいう。
図５（ｂ）において、コンテンツＤＢ２２０は、「コンテンツＩＤ」と、「コンテンツ名」と、「作成者」と、「カテゴリ」と、「企画内容」と、「募集ポイント」と、「獲得ポイント」と、「募集期限」と、「成否」と、「コンテンツ」と、「コンテンツ再生回数」の各データフィールドで構成される。ここで、「カテゴリ」とは、管理者によって管理され、ユーザによって視聴選択されるコンテンツの分類を、「企画内容」とは、投資案件紹介コンテンツが登録されたＵＲＬ（Uniform Resource Locator）を、「募集ポイント」とは、投資案件紹介コンテンツで紹介されたコンテンツの制作に必要な総ＥＣポイント数を、「獲得ポイント」とは現時点において投資された総ポイントを、「成否」とは、募集期限内にコンテンツ制作に必要なポイントの投資があったか否かを示すフラグ情報、「コンテンツ」とは所定数のポイントが出資されたことにより制作されるコンテンツの画像のファイルを示す情報を、「コンテンツ再生回数」とは、ユーザによる制作コンテンツの再生回数をそれぞれ示す。
【００３６】
図６（ａ）において、ポイントＤＢ２３０は、「ユーザＩＤ」と、「使用前ポイント残高」と、「購入ポイント」と、「商品ＩＤ／コンテンツＩＤ」と、「使用ポイント」と、「使用後ポイント残高」と、「ポイント残高更新日」の各データフィールドにより構成される。ここで、「購入ポイント」とはＥＣにより付与されるポイントであり、「使用ポイント」とは、ＥＣによる購入、あるいは投資により使用されるポイントであり、「ポイント残高更新日」とは直近のポイント更新日を示す。
図６（ｂ）において、広告ＤＢ２４０は、「広告ＩＤ」と、「商品ＩＤ」と、「広告内容」と、「コンテンツＩＤ」と、「領域情報」と、「時間情報」と、「広告再生回数」の各データフィールドで構成される。ここで、「広告ＩＤ」とはメタ情報管理サーバ２４により広告毎に発行されるユニークなＩＤであり、「広告内容」とは、広告が登録されたＵＲＬを示し、「領域情報」、「時間情報」とは、前記した広告を配信するために、配信された制作コンテンツの一部である特定の描画オブジェクトに貼付されたリンク情報の領域及び時間を示す。「広告再生回数」は、ユーザによる広告の再生回数を示す。
【００３７】
［投資管理装置の説明］
図７は、本発明の実施の形態に係る投資管理装置の内部構成を示すハードウエアブロック図である。
図７に示されるように、本発明の実施の形態に係る投資管理装置（投資管理サーバ３）は、ＣＰＵ３１および主メモリ３２からなるサーバ本体部３０と、補助メモリ３３と、入力装置３４と、出力装置３５と、通信ＩＦ（Interface）３６とが、アドレス、データ、コントロールのための信号線が複数本で構成されるシステムバス３７経由で共通に接続され、構成される。
【００３８】
ＣＰＵ３１は、主メモリ３２に格納されたＯＳ（Operating System）やアプリケーション等のプログラムに基づき、（１）コンテンツ配信サーバ２２により配信される投資案件紹介コンテンツを再生したユーザ端末１により操作入力されるポイントに基づく投資情報を収集し、（２）商品購入サーバ２１から所定数の投資により制作される制作コンテンツの内容によって決まる商品情報を取得し、（３）制作コンテンツの一部に取得した商品情報のメタ情報を埋め込みコンテンツ配信サーバ２２により配信し、（４）配信されるメタ情報を含む制作コンテンツのユーザ端末１による再生回数、および商品情報が示す商品の購入履歴を監視して配当ポイントを計算し、ポイント管理サーバ２３によりポイントを更新する、投資管理サーバ３が有するサーバとしての機能を実現するために、システムバス３７経由で接続される、補助メモリ３３、入力装置３４、出力装置３５、通信ＩＦ（Interface）３６の制御を行う。
前記したサーバ本体部３０（ＣＰＵ３１と主メモリ３２）が実行するプログラムの構造の一例は図９に機能展開され示されている。詳細は後記する。
【００３９】
補助メモリ３３は、会員ＤＢ３０９や投資案件ＤＢ３１０等のデータベースが割り付けられて記憶されるＨＤＤ（Hard Disc Device）等の比較的大容量の記憶デバイスである。また、入力装置３４はキーボード、出力装置３５はＬＣＤ（Liquid Crystal Display Device）等の表示装置、あるいはレーザプリンタである。
通信ＩＦ３６は、複数のユーザ端末１、あるいは、商品購入サーバ２１、コンテンツ配信サーバ２２、ポイント管理サーバ２３、メタ情報管理サーバ２４等、他のサーバ群と通信を行うために、ＩＰネットワーク２とのインタフェースを司り、ここでは、ＴＣＰ／ＩＰ（Transmission Control Protocol／Internet Protocol）に基づく通信プロトコルの制御を行う。
【００４０】
なお、投資管理サーバ３には、更に、管理者端末４が接続され、管理者端末４は、通信ＩＦ３６と不図示のＬＡＮ（Local Area Network）経由で接続され、もしくは、システムバス３７に入出力装置として直結される。
【００４１】
図８は、ユーザ端末１の内部構成を示すハードウエアブロック図である。図８に示されるように、ユーザ端末１は、ＭＰＵ（Micro Processor Unit）１１と、ＲＡＭ（Random Access Memory）１２と、描画・表示制御部１３と、マウスやリモコン等のポインティングデハイス１６により構成され、ＭＰＵ１１が有する、アドレス、データ、コントロールのための信号線が複数本で構成される内部バス１７に共通に接続される。ユーザ端末１は、ＩＰＴＶ（Internet Protocol Television）受信機であってもよい。
また、描画・表示制御部１３は、ローカルバス１８経由でＬＣＤパネル１５（表示装置）に接続され、内蔵する、もしくは外付けされるフレームメモリ（ＢＭＭ（Block Memory Map）１４）をリードライトすることにより、描画および表示制御を行う。なお、フレームメモリ１４は、ＬＣＤパネル１５が内蔵してもよい。
【００４２】
ＭＰＵ１１は、ここではＲＡＭ１２の所定の領域に割り付けられ記憶されたソフトウエアにより制作コンテンツの再生画像を生成し、描画・表示制御部１３を介してフレームメモリ１４にビットマップ展開して描画する。
そして、描画・表示制御部１３は、ＬＣＤパネル１５の表示タイミングに同期してフレームメモリ１４からビットマップ画像を読み出してＬＣＤパネル１５に転送して所望の表示を得る。
【００４３】
図９は、図７に示すサーバ本体部３０が実行するプログラムの構造を機能展開して示したブロック図である。
図９に示されるように、サーバ本体部３０により実行されるプログラムは、主制御部３００と、ユーザ端末インタフェース部３０１と、各種サーバインタフェース部３０２と、管理者端末インタフェース部３０３と、投資案件紹介コンテンツ配信管理部３０４と、制作コンテンツ配信管理部３０５と、投資情報収集部３０６と、配当ポイント計算管理部３０７と、メタ情報埋込部３０８と、会員登録処理部３１１と、を含む。
【００４４】
また、補助メモリ３３には、前記したデータ構造を有するユーザＤＢ３０９、ならびに投資案件ＤＢ３１０が割り付けられて記憶されており、サーバ本体部３０の主メモリ３２作業領域には、ポイント還元テーブル５００が割り付けられ記憶される。ポイント還元テーブル５００のデータ構造等についての詳細は後記述する。
【００４５】
ユーザ端末インタフェース部３０１は、ＩＰネットワーク２経由で接続されるユーザ端末１とのインタフェースを司り、各種サーバインタフェース部３０２は、ＩＰネットワーク２経由で接続される、商品購入サーバ２１、コンテンツ配信サーバ２２、ポイント管理サーバ２３、メタ情報管理サーバ２４等他のサーバ群とのインタフェースを司り、管理者端末インタフェース部３０３は、ＬＡＮ経由で、もしくはシステムバス３７に直結される管理者端末４とのそれぞれのインタフェースを司る。
【００４６】
投資案件紹介コンテンツ配信管理部３０４は、投資案件ＤＢ３１０に投入された投資案件紹介コンテンツを、コンテンツ配信サーバ２２と通信を行い、コンテンツ配信サーバ２２によりユーザ端末１に配信する機能を有する。
制作コンテンツ配信管理部３０５は、商品購入サーバ２１と通信を行い所定数の投資により制作される制作コンテンツによって決まる商品情報を取得し、制作コンテンツの一部に取得した商品情報のメタ情報を埋め込みコンテンツ配信サーバ２２により配信する機能を有する。また、制作コンテンツ配信管理部３０５は、ユーザ端末１によって再生される制作コンテンツの特定の描画オブジェクトが入力操作された場合に、メタ情報管理サーバ２４と通信を行い、広告ＤＢ２４０に格納された特定の描画オブジェクトの領域情報と時間情報とにより定義される特定の描画オブジェクトのメタ情報を取得する。
【００４７】
投資情報収集部３０６は、コンテンツ配信サーバ２２により配信される投資案件紹介コンテンツを再生したユーザ端末１により操作入力されるポイントに基づく投資情報を収集する機能を有する機能を有する。
配当ポイント計算管理部３０７は、コンテンツ配信サーバ２２により配信されるメタ情報を含む制作コンテンツのユーザ端末１による再生回数、および商品情報が示す商品の購入履歴を監視して配当ポイントを計算し、ポイント管理サーバ２３によりポイントを更新する機能を有する。
【００４８】
会員登録処理部３１１は、ポイントによる投資に先立ちユーザ端末１を操作入力することにより行われる会員登録情報を取り込んで、ユーザＤＢ３０９に格納する機能を有する。ここで、登録される会員情報は、ユーザ名、住所、電子メールアドレス他、ユーザの趣味嗜好であり、会員登録処理部３１１は、会員登録の都度、ユニークなユーザＩＤを発行してユーザＤＢ３０９に登録する。
【００４９】
なお、主制御部３００は、（１）コンテンツ配信サーバ２２により配信される投資案件紹介コンテンツを再生したユーザ端末１により操作入力されるポイントに基づく投資情報を収集し、（２）商品購入サーバ２１と通信を行い所定数の投資により制作される制作コンテンツによって決まる商品情報を取得し、（３）制作コンテンツの一部に取得した商品情報のメタ情報を埋め込みコンテンツ配信装置２２により配信し、（４）配信されるメタ情報を含む制作コンテンツのユーザ端末１による再生回数、および商品情報が示す商品の購入履歴を監視して配当ポイントを計算し、ポイント管理サーバ２３によりポイントを更新する、投資管理サーバ３の制御中枢として、前記したユーザ端末インタフェース部３０１、各種サーバインタフェース部３０２、管理者端末インタフェース部３０３、投資案件紹介コンテンツ配信管理部３０４、制作コンテンツ配信管理部３０５、投資情報収集部３０６、配当ポイント計算管理部３０７、メタ情報埋め込み部３０８、会員登録処理部３１１のシーケンス制御を司る。
【００５０】
図１０は、この発明の実施の形態に係る投資管理装置の基本処理動作を示すフローチャートである。また、図１１〜図１３は、図１０に示すフローチャートを補足するために引用した図であり、投資管理サーバ３により生成されるポイント還元テーブル５００のデータ構造の一例が図１１に、ユーザ端末１に表示される「コンテンツ企画紹介画面」の画面構成の一例が図１２に、ユーザ端末１に表示される「コンテンツ再生画面」の画面構成の一例が図１３に、それぞれ示されている。
以下、図１０〜図１３を参照しながら、図７、図９に示す本発明の実施の形態に係る投資管理装置の動作について詳細に説明する。
【００５１】
ユーザは、事前にユーザ端末１を操作して会員登録を行うものとし、この会員登録により入力される会員情報は、投資管理サーバ３の会員登録処理部３１１により発行されるユーザ毎にユニークなユーザＩＤとともに、例えば、図４（ａ）に示されるユーザＤＢ３０９に格納される。
なお、この会員登録は、コンテンツを視聴するうえでは必須ではなく、投資を行ううえで必須となるものである。
【００５２】
コンテンツ配信サーバ２２は、投資管理サーバ３の投資案件紹介コンテンツ配信管理部３０４による投資案件紹介コンテンツの投入を契機に、不特定多数のユーザ端末１に対し、投入された投資案件紹介コンテンツを配信する（ステップＳ１０１）。
なお、投資案件紹介コンテンツの中には、図１２に例示したユーザ端末１に表示されるコンテンツ企画紹介画面のように、画面右のウインドウに、コンテンツを制作するにあたり出資を募る案内（「コンテンツサポートゲームでポイントをふやそう」、「作成者によるＰＲ」他）が含まれている。なお、画面左のウインドウには、コンテンツ再生時、ユーザにより選択操作される、カテゴリ検索、視聴コンテンツ決定のためのボタンアイコンが割り付けられ表示されている。
【００５３】
一方、ユーザ端末１のコンテンツ企画紹介画面に表示される投資案件紹介コンテンツを視聴したユーザは、応援したいコンテンツである、あるいは投資して価値のあるコンテンツであると判断した場合、ユーザ端末１を操作し、画面右下に割り当てられ表示された「このコンテンツサポートゲームに参加する」ボタンを押下し、かつ、投資ポイントを入力することで、自身が所有するポイントによる投資（ゲーム参加）を行う。これをうけた投資管理サーバ３は（ステップＳ１０２“Ｙｅｓ”）、主制御部３００による制御の下で投資情報収集部３０６が各種サーバインタフェース部３０２を介してコンテンツ配信サーバ２２と通信を行い、投資情報を収集する（ステップＳ１０３）。
【００５４】
次に、投資案件紹介コンテンツ配信管理部３０４は、主制御部３００による制御の下、各種サーバインタフェース部３０２経由でポイント管理サーバ２３と通信を行い、投資されたポイントに基づき、図６（ａ）に示すポイントＤＢ２３０の該当ユーザ（ユーザＩＤ）の、「使用ポイント」、「使用後ポイント残高」、「ポイント残高更新日」のそれぞれのデータフィールドの内容を更新する。また、投資案件紹介コンテンツ配信管理部３０４は、複数のユーザあるいはアフェリエイトにより所定数のポイントが出資された場合には（ステップＳ１０４“Ｙｅｓ”）、主制御部３００による制御の下、各種サーバインタフェース部３０２経由でコンテンツ配信サーバ２２と通信を行い、不特定多数のユーザ端末１およびアフェリエイトに対して公募終了の通知を行う（ステップＳ１０５）。
【００５５】
一方、サービス提供事業者Ｃは、投資により取得した資金（ポイント）により、自身で、あるいは外部に委託することによりコンテンツ制作を開始し、完成した制作コンテンツは、投資管理サーバ３によりコンテンツ配信サーバ２２に投入され、コンテンツ配信サーバ２２は、これを会員登録済みのユーザ端末１に配信する（ステップＳ１０６）。
投資管理サーバ３が制作コンテンツを投入するにあたり処理する内容が図１４にフローチャートで示されている。
【００５６】
図１４に示されるように、投資管理サーバ３は、制作コンテンツ配信管理部３０５が、主制御部３００による制御の下で各種サーバインタフェース部３０２を介して商品購入サーバ２１と通信を行い、図５（ａ）にデータ構造の一例が示される商品ＤＢ２１１から、制作コンテンツの内容によって決まる商品情報を取得する（ステップＳ１４１）。続いて制作コンテンツ配信管理部３０５は、主制御部３００による制御の下で各種サーバインタフェース部３０２を介してメタ情報管理サーバ２４と通信を行い、図６（ｂ）にデータ構造の一例が示される広告ＤＢ２４０から、先に取得された商品情報に関連付けられて記憶されたメタ情報（広告内容）を取得し（ステップＳ１４２）、メタ情報埋め込み部３０８を制御することにより、そのメタ情報を制作コンテンツの一部に埋め込む。そして、メタ情報が埋め込まれた制作コンテンツを会員登録済みのユーザ端末１に配信する（ステップＳ１４３）。
【００５７】
なお、ここで、商品ＤＢ２１１から取得される商品情報は、更に、ユーザＤＢ３０９に会員登録されたユーザの属性情報、あるいは購入履歴ＤＢ２１２に格納されたユーザの商品購入履歴に基づき絞り込まれるものとする。
すなわち、商品ＤＢ２１１から取得される商品情報は、ユーザＤＢ３０９に登録されたユーザの趣味嗜好、あるいは購入履歴ＤＢ２１２に格納されたユーザの購入履歴、購入時回遊情報、あるいはコンテンツの閲覧履歴等により、ユーザの趣味嗜好に沿った、あるいは購入頻度の高い商品が選択され、この商品情報に関連付けられて配信されるメタ情報（広告内容）は、従来のコンテンツ配信サービスにはないユーザ情報を利用して生成される。
【００５８】
図１３に、ユーザ端末１に表示される「コンテンツ再生画面」の画面構成の一例が示されており、図１５に、「コンテンツ再生画面」を操作したときのユーザ端末１の動作がフローチャートで示されている。
図１３に示されるように、ユーザ端末１は、コンテンツ配信装置により配信されるメタ情報入り制作コンテンツを受信すると、ＭＰＵ１１の制御により再生画像を生成し、ＬＣＤパネル１５に表示するが、このとき、描画・表示制御部１３により画面分割し、メタ情報が埋め込まれた制作コンテンツを表示する動画配信領域Ｍａｒｅ（第１の画面領域）と、商品情報を表示するストックリスト領域Ｓａｒｅ（第２の画面領域）とに分けて表示する。
【００５９】
ここで、図１５のフローチャートを参照しながら、図８に示したユーザ端末１の２画面表示による制作コンテンツ再生動作について説明する。
【００６０】
図１５に示されるように、コンテンツ配信サーバ２２が、一部にメタデータが埋め込まれた制作コンテンツを配信し（ステップＳ１５１）、これを受信したユーザ端末１は、ＭＰＵ１１が描画・表示制御部１３を制御してＬＣＤパネル１５に表示再生する。
そして、図１３に示されるように、ユーザが、動画配信領域Ｍａｒｅに表示された制作コンテンツのうち、例えば、メタ情報（広告ＩＤが「Ｐ０００１」）が埋め込まれた腕時計等の特定の描画オブジェクトをポインティングデバイス１６により選択操作したと仮定する。この場合（ステップＳ１５２“Ｙｅｓ”）、ＭＰＵ１１の制御により、ＬＣＤパネル１５のストックリスト領域Ｓａｒｅに、商品購入サーバ２１（商品ＤＢ２１１）から取得される商品ＩＤ「Ｓ０００１」に相当する腕時計の商品情報が表示される（ステップＳ１５３）。
【００６１】
続いて、ユーザがポインティングデバイス１６を操作してＬＣＤパネル１５のストックリスト領域Ｓａｒｅに表示された商品情報の一部に割り付けられた「購入ボタン」を押下した場合（ステップＳ１５４“Ｙｅｓ”）、ユーザ端末１（ＭＰＵ１１）と商品購入サーバ２１との間でＩＰネットワーク２を経由して電子商取引が行われる（ステップＳ１５５）。
【００６２】
説明を図１０のフローチャートに戻す、コンテンツ配信サーバ２２によるメタデータ入り制作コンテンツ配信後、前記したように、ユーザがＬＣＤパネル１５の動画配信領域Ｍａｒｅに表示された制作コンテンツを視聴し、更にはストックリスト領域Ｓａｒｅに表示された商品情報の広告を閲覧すると（ステップＳ１０７“Ｙｅｓ”）、コンテンツ配信サーバ２２は、その閲覧情報（再生回数）を記憶する。
そして、月末等の所定期間を経て投資管理サーバ３は、主制御部３００によるシーケンス制御の下で配当ポイント計算管理部３０７が、各種サーバインタフェース部３０２経由でコンテンツ配信サーバ２２と通信を行い、コンテンツ配信サーバ２２から閲覧情報を取得して集計する（ステップＳ１０８）。このとき、配当ポイント計算管理部３０７は、制作コンテンツの総再生回数に応じた配当ポイントを計算し、主制御部３００によるシーケンス制御の下、各種サーバインタフェース部３０２経由でポイント管理サーバ２３と通信を行い、ポイント管理サーバ２３が管理するポイントＤＢ２３０を更新してポイントの還元を行う（ステップＳ１１０）。
【００６３】
配当ポイント計算管理部３０７は、配当ポイントを計算するにあたり、再生回数に応じて予め規定されたランク毎に固定の配当ポイントを計算する。
すなわち、配当ポイント計算管理部３０７は、例えば、図１１にそのデータ構造の一例が示されるポイント還元テーブル５００を参照し、再生回数と出資比率によって決まる割合でポイント還元を行う。
ここでは、再生回数を段階的にランク分けし、例えば、再生回数４００以上はランクＡ、再生回数２００以上４００未満はランクＢ、再生回数１００以上２００未満はランクＣ、１００未満はランクＤとし、出資比率との関係で決まる割合に応じて還元ポイントを計算することにしている。また、配当ポイント計算管理部３０７は、投資の前に実行される会員登録に格納されるユーザＤＢ３０９を参照して、他のユーザの投資に影響を与える特定のユーザからの投資については、通常のユーザに比べて高い配当ポイントを還元してもよい。このためには、ユーザＤＢ３０９のデータフィールドには更に、ユーザのクラスを示す情報をユーザ属性として付加する必要がある。
【００６４】
なお、ユーザがユーザ端末１を操作して商品購入サーバ２１と通信を行い、ＥＣにより商品を購入すれば、購入によるポイントが更に付与され、投資管理サーバ３は、更にポイント管理サーバ２３のポイントＤＢ２３０を参照して、商品購入ユーザに更なるポイント還元を行うことも可能である。また、投資管理サーバ３は、コンテンツ制作費の所定の割合に相当する投資に対し、前記したポイントによる配当の他に、コンテンツ配信装置２２と通信を行い、コンテンツ配信装置２２により配信される制作コンテンツのエンドテロップ等、任意の箇所にそのユーザ名を付して配信してもよい。このことによりユーザのコンテンツ制作への参加意識が高まる大きな動機となる。
【００６５】
なお、前記した投資管理サーバ３の動作において説明を省略したが、管理者端末４は、管理端末インタフェース部３０３を介して主制御部３００との間でデータ通信を行うことにより、配信されるコンテンツの管理、視聴選択のためのカテゴリ管理、コンテンツ閲覧状況の確認、出資の公募設定、公募状況の閲覧、制作コンテンツに対するメタ情報の設定、広告効果の確認、等を行うことができる。
【００６６】
前記した本発明の実施の形態に係る投資管理装置によれば、コンテンツを再生可能な複数のユーザ端末１と、コンテンツを配信するコンテンツ配信装置（コンテンツ配信サーバ２２）と、所定に付与されるポイントをポイントデータベース（ポイントＤＢ２３０）により管理するポイント管理装置（ポイント管理サーバ２３）と、通信網（ＩＰネットワーク２）経由で接続される投資管理装置（投資管理サーバ３）を、コンテンツ配信サーバ２２により配信される投資案件紹介コンテンツを再生したユーザ端末１により操作入力されるポイントに基づく投資情報を収集する投資情報収集部３０６と、所定数の投資により制作され、コンテンツ配信サーバ２２によって配信される制作コンテンツのユーザ端末１による再生回数を監視し、所定の計算式により再生回数を加味しつつ再生回数に比例しない配当としてのポイントを計算し、ポイント管理サーバ２３との通信によりポイントＤＢ２３０を更新する配当ポイント計算管理部３０７と、により構成することで、投資と配当が１対１に偏ることなく、また、ユーザは、自身の属性に沿った内容で広告を閲覧できるため広告を閲覧する機会が増え、コンテンツ配信サービスとポイントサービスとの効率的な連携がはかれるため、高い還元率によるポイント還元でコンテンツ制作に対する参加意識を高めた投資管理装置を提供することができる。
【００６７】
なお、図９に示す投資管理サーバ３が有する機能は、全てをハードウエアによって実現しても、あるいはその少なくとも一部をソフトウエアで実現してもよい。
例えば、投資情報収集部３０６が、コンテンツ配信装置（コンテンツ配信サーバ２３）により配信される投資案件紹介コンテンツを再生したユーザ端末１により操作入力されるポイントに基づく投資情報を収集するデータ処理、配当ポイント計算管理部３０７が、所定数の投資により制作され、コンテンツ配信サーバ２２によって配信される制作コンテンツのユーザ端末１による再生回数を監視し、所定の計算式により再生回数を加味しつつ再生回数に比例しない配当としてのポイントを計算し、ポイント管理サーバ２３との通信によりポイントＤＢ２３０を更新するデータ処理は、１または複数のプログラムによりコンピュータ上で実現してもよく、また、その少なくとも一部をハードウエアで実現してもよい。
【００６８】
また、本発明の実施の形態に係るプログラムは、例えば、図２のシステム構成図に示されるように、コンテンツを再生可能な複数のユーザ端末１と、前記コンテンツを配信するコンテンツ配信装置（コンテンツ配信サーバ２２）と、所定に付与されるポイントをユーザ毎に管理するポイント管理装置（ポイント管理サーバ２３）と、が通信網（ＩＰネットワーク２）経由で接続される投資管理装置（投資管理サーバ３）に用いられるプログラムであって、例えば、図１０、図１４のフローチャートに示されるように、コンテンツ配信サーバ２２により配信される投資案件紹介コンテンツを再生したユーザ端末１により操作入力されるポイントに基づく投資情報を収集する投資情報収集処理（図１０のステップＳ１０３）と、所定数の投資により制作され、コンテンツ配信サーバ２２によって配信される制作コンテンツのユーザ端末１による再生回数を監視し、所定の計算式により再生回数を加味しつつ再生回数に比例しない配当としてのポイントを計算してポイント管理サーバ２３との通信によりポイントＤＢ２３０を更新する配当ポイント計算管理処理（図１０のステップＳ１１０）と、を投資管理装置３に実行させるものである。
【００６９】
前記した本発明の実施の形態に係るプログラムによれば、前記した一連の手順に基づくプログラムをコンピュータに実行させることにより、投資と配当が１対１に偏ることなく、また、コンテンツ配信サービスとポイントサービスとの効率的な連携がはかれ、高い還元率でのポイントの還元によりユーザにコンテンツ制作に対する参加意識を高めることができる。
【図面の簡単な説明】
【００７０】
【図１】本発明の実施の形態に係るユーザ参加型コンテンツ制作システムにおける投資管理方法について、ビジネス主体とその主体間の関係を説明するために示した図である。
【図２】本発明の実施の形態に係る投資管理システムのシステム構成の一例を示す図である。
【図３】本発明の実施の形態に係る投資管理システムの基本動作を示すシーケンス図である。
【図４】本発明の実施の形態に係る投資管理システム（投資管理装置）が有するデータベースのデータ構造の一例を示す図である。
【図５】本発明の実施の形態に係る投資管理システム（商品購入装置、およびコンテンツ配信装置）が有するデータベースのデータ構造の一例を示す図である。
【図６】本発明の実施の形態に係る投資管理システム（ポイント管理装置、およびメタ情報管理装置）が有するデータベースのデータ構造の一例を示す図である。
【図７】本発明の実施の形態に係る投資管理装置の内部構成を示すハードウエアブロック図である。
【図８】本発明の実施の形態に係る投資管理装置に接続されるユーザ端末の内部構成を示すハードウエアブロック図である。
【図９】本発明の実施の形態に係る投資管理装置が実行するプログラムの構造を機能展開して示したブロック図である。
【図１０】本発明の実施の形態に係る投資管理装置の基本処理動作を示すフローチャートである。
【図１１】本発明の実施の形態に係る投資管理装置によって生成されるポイント還元テーブルのデータ構造の一例を示す図である。
【図１２】本発明の実施の形態に係る投資管理装置によりユーザ端末に表示されるコンテンツ企画紹介画面の画面構成の一例を示す図である。
【図１３】本発明の実施の形態に係る投資管理装置によりユーザ端末に表示されるコンテンツ再生画面の画面構成の一例を示す図である。
【図１４】本発明の実施の形態に係る投資管理装置のコンテンツ配信処理の詳細動作を示すフローチャートである。
【図１５】本発明の実施の形態に係る投資管理装置に接続されるユーザ端末の制作コンテンツ再生動作を示すフローチャートである。
【符号の説明】
【００７１】
２      ＩＰネットワーク（通信網）
３      投資管理サーバ（投資管理装置）
２１    商品購入サーバ（商品購入装置）
２２    コンテンツ配信サーバ（コンテンツ配信装置）
２３    ポイント管理サーバ（ポイント管理装置）
２４    メタ情報管理サーバ（メタ情報管理装置）
２１１  商品ＤＢ
２１２  購入履歴ＤＢ
２２０  コンテンツＤＢ
２３０  ポイントＤＢ
２４０  広告ＤＢ
３００  主制御部
３０１  ユーザ端末インタフェース部
３０２  各種サーバインタフェース部
３０３  管理者端末インタフェース部
３０４  投資案件紹介コンテンツ配信管理部
３０５  制作コンテンツ配信管理部
３０６  投資情報収集部
３０７  配当ポイント計算管理部
３０８  メタ情報埋め込み部
３０９  ユーザＤＢ
３１０  投資案件ＤＢ
３１１  会員登録処理部
５００  ポイント還元テーブル
【図１】
2010108311.tif 000003
【図２】
2010108311.tif 000004
【図３】
2010108311.tif 000005
【図４】
2010108311.tif 000006
【図５】
2010108311.tif 000007
【図６】
2010108311.tif 000008
【図７】
2010108311.tif 000009
【図８】
2010108311.tif 000010
【図９】
2010108311.tif 000011
【図１０】
2010108311.tif 000012
【図１１】
2010108311.tif 000013
【図１２】
2010108311.tif 000014
【図１３】
2010108311.tif 000015
【図１４】
2010108311.tif 000016
【図１５】
2010108311.tif 000017